(57)【要約】【課題】球軸の局所的な摩耗を抑制することができるボールジョイント構造を備えた照明装置を提供する。【解決手段】球軸３ｆ２０および軸受３ｆ４０を有するボールジョイントにより、アーム部３に対して回転または搖動可能に連結された照明部４を備えた照明装置１であって、球軸３ｆ２０は、球状部３ｆ２１と、球状部３ｆ２１に突設された柱状の軸部３ｆ２２と、から成り、軸受３ｆ４０は、球状部３ｆ２１が収容される空間である収容部３ｆ４１を有し、球状部３ｆ２１の表面および収容部３ｆ４１の内面のうち、一方には軸部３ｆ２２の軸Ｘに直交する平面Ｆと交差する方向に沿って溝３ｆ２１ａが形成され、他方には突起３ｆ１３ａ１が形成されており、球状部３ｆ２１が収容部３ｆ４１に収容された状態において、突起３ｆ１３ａ１は溝３ｆ２１ａ内に位置している。【選択図】図４
2014086402.tif 000002
【特許請求の範囲】
【請求項１】
球軸および軸受を有するボールジョイントにより、アーム部に対して回転または搖動可能に連結された照明部を備えた照明装置であって、
前記球軸は、球状部と、前記球状部に突設された柱状の軸部と、から成り、
前記軸受は、前記球状部が収容される空間である収容部を有し、
前記球状部の表面および前記収容部の内面のうち、一方には前記軸部の軸に直交する平面と交差する方向に沿って溝が形成され、他方には突起が形成されており、
前記球状部が前記収容部に収容された状態において、前記突起は前記溝内に位置している
ことを特徴とする照明装置。
【請求項２】
前記溝は、前記軸部の軸に平行な方向に形成されている
ことを特徴とする請求項１に記載の照明装置。
【請求項３】
前記溝は、前記球状部の表面に形成され、
前記突起は、前記収容部の内面に形成されている
ことを特徴とする請求項１または２に記載の照明装置。
【請求項４】
前記突起は、前記球状部の表面に形成され、
前記溝は、前記収容部の内面に形成されている
ことを特徴とする請求項１または２に記載の照明装置。
【請求項５】
前記球軸は、前記軸部の軸方向に前記軸部および前記球状部を貫通する球軸貫通孔を有し、
前記軸受は、外部と前記収容部内部とを連通する２つの軸受貫通孔を有し、
前記軸部は、前記２つの軸受貫通孔の一方を通って前記球状部表面から前記軸受の外方へと突設されており、
前記２つの軸受貫通孔の他方は、前記球状部が前記収容部に収容された状態において前記球状部貫通孔の前記軸部とは反対側の開口に対応する位置に形成されており、前記軸部とは反対側の開口よりも大きな径を有する
ことを特徴とする請求項１から４の何れか１項に記載の照明装置。
【請求項６】
前記球状部は、前記軸部とは反対側の開口の周囲に相当する球の部分が、球の一部を切り取ったような平坦な形状を有する
ことを特徴とする請求項５に記載の照明装置。
【発明の詳細な説明】
【技術分野】
【０００１】
本発明は、照明装置に関し、特にボールジョイントにより照明部（灯具）の角度を調節可能な照明装置に関する。
【背景技術】
【０００２】
ボールジョイントを用いて照明部の角度を調節可能とした照明装置が従来から普及している（例えば、特許文献１）。このようなボールジョイントは、一般に、球軸と軸受とから成る。球軸は、球状部と当該球状部に連設された柱状の軸部とから成り、軸受は、軸受板および締具から成る。そして、球状部が軸受板および締具により搖動可能に挟持された構成を有する（例えば、特許文献１の図４参照）。
【０００３】
ボールジョイントを使用した照明装置では、ユーザが照明部の角度調節を行う際に、球状部が軸部の軸を中心に搖動（回転）される場合がある。球状部が搖動されると、軸受により挟持されている球状部の表面が摩擦されて摩耗するのであるが、このような軸部の軸まわりの回転動作は、球状部の同一箇所（特許文献１の図４においては、開口縁Ａおよび凸縁Ｂと接触する箇所）が集中的に摩擦されるため、軸まわりに局所的な摩耗が促進される。このような局所的な摩耗が発生すると当該部分における軸受と球軸との間の摩擦抵抗が次第に弱まって、照明部が軸部の軸まわりに搖動しやすくなり、照明部がぐらついたり、照明部を所望の角度に保持できなくなったりするという問題があった。
【０００４】
そこで、特許文献１では、軸受板の球状部に接触して挟持する部分を別部材（特許文献１においては、「軸受３」）とし、軸受板の残りの部分を、上記別部材を球軸の回転に伴って回転自在に保持する部材（特許文献１においては、「軸受板６」）とした構成が開示されている。
【先行技術文献】
【特許文献】
【０００５】
【特許文献１】特開平６−１３１９１０号公報
【発明の概要】
【発明が解決しようとする課題】
【０００６】
しかしながら、特許文献１の構成では、球状部を挟持する部分が別部材となっているため、部品点数の増加、組み立て効率の低下、コスト上昇といった問題を引き起こす要因となる。
本発明は、上記課題に鑑みてなされたものであり、部品点数を増加させることなく、球軸の局所的な摩耗を抑制することができるボールジョイント構造を備えた照明装置を提供することを目的とする。
【課題を解決するための手段】
【０００７】
上記目的を達成するため、本発明に係る照明装置は、球軸および軸受を有するボールジョイントにより、アーム部に対して回転または搖動可能に連結された照明部を備えた照明装置であって、前記球軸は、球状部と、前記球状部に突設された柱状の軸部と、から成り、前記軸受は、前記球状部が収容される空間である収容部を有し、前記球状部の表面および前記収容部の内面のうち、一方には前記軸部の軸に直交する平面と交差する方向に沿って溝が形成され、他方には突起が形成されており、前記球状部が前記収容部に収容された状態において、前記突起は前記溝内に位置していることを特徴とする。
【発明の効果】
【０００８】
本発明に係る照明装置によれば、前記突起が前記溝内に位置しているため、前記球軸の前記軸部の軸まわりの搖動が規制される。これにより、別部材を用いることなく前記球状部表面の局所的な摩耗を抑制することができる。
【図面の簡単な説明】
【０００９】
【図１】実施形態に係る照明装置１の外観斜視図である。
【図２】照明部４の分解斜視図である。
【図３】図１のＡ−Ａ直線に沿った照明部４の矢視断面図である。
【図４】（ａ）は、連結部３ｆの分解斜視図である。（ｂ）は、第１軸受部３ｆ１０および球軸３ｆ２０を（ａ）とは逆方向から見た分解斜視図である。
【図５】（ａ）は、第１軸受部を取り外した状態の連結部３ｆを示す平面図である。（ｂ）は、球軸３ｆ２０の可動態様を説明するための模式図である。
【図６】（ａ）は、第１軸受部を取り外した状態の変形例１に係る連結部１０３ｆを示す平面図である。（ｂ）は、変形例１に係る球軸１０３ｆ２０の可動態様を説明するための模式図である。
【発明を実施するための形態】
【００１０】
本発明を実施するための形態を、図面を参照して詳細に説明する。なお、各図は、模式図であり、図面に示された部品等の各構成要素の形状や寸法および比等については、必ずしも厳密に図示したものではない。
＜実施形態＞
本発明の一態様である実施形態に係る照明装置について、図面を参照しながら説明する。先ず、実施形態に係る照明装置１の構成について説明する。
【００１１】
［全体構成］
図１は照明装置１の外観斜視図である。図２は照明部４の分解斜視図である。図３は照明部４の内部構成を示す断面図であって、図１のＡ−Ａ直線に沿った矢視断面図である。
図１に示すように、照明装置１は、ベース２と、アーム部３と、照明部４とを有する。
以下、照明装置１の各構成要素について説明する。
【００１２】
［ベース２］
ベース２は照明装置１の台座であり、内部に必要量の錘が内蔵されている。
［アーム部３］
アーム部３は第１アーム部材３ａと、第２アーム部材３ｂとを備える。第１アーム部材３ａは一端に設けられた連結部３ｄにおいてベース２に連結される。また第１アーム部材３ａは他端に設けられた連結部３ｅにおいて第２アーム部材３ｂと連結される。連結部３ｄおよび３ｅは蝶番構造を有する。これにより、例えばユーザが第２アーム部材３ｂを引き寄せると、それに応じて第１アーム部材３ａ及び第２アーム部材３ｂの間の角度が開く。さらに、ベース２及び第１アーム部材３ａの間の角度が開く。
【００１３】
第１アーム部材３ａの正面側（図１においては、Ｙ方向側）には操作部３ｃが配される。操作部３ｃは、例えば、静電容量方式で作動する。ユーザが操作部３ｃに触れることにより、照明部４のオン／オフ操作を行うことができる。また、ユーザが操作部３ｃ上に指をスライドさせることで、照明部４の調光を行うことができる。
［照明部４］
照明部４は、光源としてのＬＥＤ発光素子を備え、照明装置１における灯具として機能する部位である。照明部４は、ボールジョイント構造を有する連結部３ｆにより第２アーム部材３ｂに対して回転または搖動可能に連結されている。また、本実施形態に係る照明装置１においては、照明部４は、第２アーム部材３ｂの下方に、連結部３ｆによって吊り下げられたような状態で連結されている。
【００１４】
照明部４は、全体的な内部構造としては図２に示すように、一対のカバー（第１カバー４０及び第２カバー４１）と、その間に配された照明ユニット４５とを有する。照明装置１においては、照明部４は一例として円盤状であるが、これに限られない。
第１カバー４０及び第２カバー４１は、それぞれ樹脂材料を用いた射出成型品として構成される。第１カバー４０の内面４０ａの中央部には、連結部３ｆが連結されている。また、内面４０ａには、照明ユニット４５を位置合わせするための複数のリブ４４が設けられている。
【００１５】
照明ユニット４５は、外観的には互いに積層された放熱板５と枠体１０とを有する。枠体１０の開口１０２からは拡散板９が露出する。拡散板９は、第２カバー４１の開口４２から外部に露出している。
照明ユニット４５は、内部構成としては図３に示すように、放熱板５と、複数のＬＥＤ６１が円環状に実装された実装基板６と、反射拡散シート７と、導光板８と、拡散板９と、枠体１０とを有する。これらの構成要素が同順に重ねられ、枠体１０の上からネジ留め（不図示）により一体化されている。なお、本実施形態においては、実装基板６上に複数のＬＥＤ６１が円環状に実装されている場合について説明したが、これに限られない。例えば、複数のＬＥＤ６１が多角環状に配設されてもよいし、列状やマトリクス状に配設されてもよい。
【００１６】
［連結部３ｄの構成］
図４（ａ）は、連結部３ｆの内部構成を示す分解斜視図である。図４（ｂ）は、図４（ａ）における第１軸受部３ｆ１０および球軸３ｆ２０を上下逆方向から見た図である。
図４（ａ），（ｂ）に示すように、連結部３ｆは、第１軸受部３ｆ１０、球軸３ｆ２０、および第２軸受部３ｆ３０から成る。
【００１７】
［球軸３ｆ２０］
球軸３ｆ２０は、球状の球状部３ｆ２１および球状部３ｆ２１に連設された円筒状の軸部３ｆ２２から成り、樹脂やゴム等の材料を用いて形成される。球状部３ｆ２１には、軸部３ｆ２２の円筒の貫通孔と連通する貫通孔が形成されており、軸部の貫通孔と球状部の貫通孔とで、球軸貫通孔３ｆ２３が構成される。球軸貫通孔は、図３に示すように、ＬＥＤ６１を点灯させるための電力を供給する配線６３が通される配線路として機能する。
【００１８】
球状部３ｆ２１の表面には、軸部３ｆ２２の軸Ｘに直交する仮想平面Ｆ（図５（ｂ）参照）と交差する方向、例えば、Ｚ軸方向に沿って溝３ｆ２１ａが形成されている。本実施形態においては、球軸貫通孔３ｆ２３を挟んで２本の溝３ｆ２１ａ，３ｆ２１ｂが形成されている。球状部３ｆ２１の開口端縁部分３ｆ２３ａの周囲は、球の一部を切り取ったような平坦な形状を有しており平面部３ｆ２１ｃが形成されている。
【００１９】
軸部３ｆ２２の外周面にはネジ溝３ｆ２２ａが形成されている。
［第１軸受部３ｆ１０］
第１カバー４０の内面４０ａの中央部には、球状部３ｆ２１の外面形状に沿った曲面を有する凹部であり、球軸が収容される空間である収容部３ｆ４１（図３参照）の一部を構成する第１収容部分３ｆ１１が形成されている。第１収容部分３ｆ１１の中央部には、第１軸受貫通孔３ｆ１２が形成されており、第１軸受貫通孔３ｆ１２を介して軸部３ｆ２２が外部へ露出している。
【００２０】
第１軸受貫通孔３ｆ１２の周囲には、第２軸受部３ｆ３０をネジ留めするためのネジ孔を備えた４つの柱状部材３ｆ１３ａ，３ｆ１３ｂ，３ｆ１３ｃ，３ｆ１３ｄが形成されている。各柱状部材３ｆ１３ａ，３ｆ１３ｂ，３ｆ１３ｃ，３ｆ１３ｄの外周面の一部は、第１収容部分３ｆ１１の内面の一部を構成している。
柱状部材３ｆ１３ａおよび３ｆ１３ｃの外周面の第１軸受貫通孔３ｆ１２に対向する部分には、中央に向かう方向に突出する突起３ｆ１３ａ１および３ｆ１３ｃ１がそれぞれ形成されている。本実施形態においては、柱状部材３ｆ１３ａおよび３ｆ１３ｃの外周面の第１軸受貫通孔３ｆ１２に対向する部分において、Ｚ軸方向の全長に亘って突起３ｆ１３ａ１および３ｆ１３ｃ１がそれぞれ形成されている。球軸３ｆ２０が第１収容部分３ｆ１１に収容された状態において、突起３ｆ１３ａ１は溝３ｆ２１ａ内に位置し、突起３ｆ１３ｃ１は溝３ｆ２１ｂ内に位置している。
【００２１】
なお、各柱状部材３ｆ１３ａ，３ｆ１３ｂ，３ｆ１３ｃ，３ｆ１３ｄをそれぞれ区別する必要が無い場合や、これらを総称して言及する場合には、単に「柱状部材３ｆ１３」という。
［第２軸受部３ｆ３０］
第２軸受部３ｆ３０は円盤状の形状を有し、樹脂等の材料を用いて形成される。第２軸受部３ｆ３０の内側面３ｆ３１は、中央部が隆起しており、当該隆起部分の中央部には、凹部であり、収容部３ｆ４１（図３参照）の一部を構成する第２収容部分３ｆ３２が形成されている。第２収容部分３ｆ３２の中央部には、第２軸受貫通孔３ｆ３３が形成されている。第２軸受貫通孔３ｆ３３は、図３に示すように、配線６３が通される配線路として機能する。内側面３ｆ３１において、隆起部分の周縁部分には、柱状部材３ｆ１３ａ，３ｆ１３ｂ，３ｆ１３ｃ，３ｆ１３ｄがそれぞれ収容される凹部３ｆ３４ａ，３ｆ３４ｂ，３ｆ３４ｃ，３ｆ３４ｄが形成されている。凹部３ｆ３４ａ，３ｆ３４ｂ，３ｆ３４ｃ，３ｆ３４ｄの底面には、貫通孔であるネジ孔３ｆ３６がそれぞれ形成されている。
【００２２】
第２軸受部３ｆ３０の外側面３ｆ３５には、第２軸受貫通孔３ｆ３３から第２軸受部３ｆ３０の側面まで続く導出凹部３ｆ３７が形成されている。導出凹部３ｆ３７は、第２軸受貫通孔３ｆ３３から配線６３が導出される際の配線路として機能する。
球軸３ｆ２０を第１軸受部３ｆ１０および第２軸受部３ｆ３０で挟持するように球状部３ｆ２１が収容部３ｆ４１内に収容された状態で、ネジ孔３ｆ３６およびネジ孔３ｆ１４に不図示のネジが螺合され、連結部３ｆが完成する。第１軸受部３ｆ１０および第２軸受部３ｆ３０により軸受３ｆ４０（図３参照）が構成される。第１収容部分３ｆ１１および第２収容部分３ｆ３２により収容部３ｆ４１（図３参照）が形成される。
【００２３】
ここで、第２軸受部３ｆ３０の第２軸受貫通孔３ｆ３３の径は、球軸貫通孔３ｆ２３の径よりも大きく設定されている。これにより、球軸３ｆ２０が搖動する際に、配線６３が球軸貫通孔３ｆ２３の開口端縁部分３ｆ２３ａと第２軸受部の第２軸受貫通孔３ｆ３３の開口端縁部分３ｆ３３ａとの間に挟まれにくくでき、挟まれることによって配線６３が損傷することを防止できるという効果がある。
【００２４】
また、球状部３ｆ２１の開口端縁部分３ｆ２３ａの周囲が、球の一部を切り取ったような平坦な形状であることにより、球軸３ｆ２０が搖動する際に、球状部３ｆ２１と第２軸受部３ｆ３０の第２収容部分３ｆ３２内面との間に空間が生じる。これにより、球軸３ｆ２０が搖動して球軸貫通孔３ｆ２３の開口端縁部分３ｆ２３ａが第２収容部分３ｆ３２の内面と対向する状態になった場合でも、配線６３が上記空間内に位置することができるため、配線６３が球軸貫通孔３ｆ２３の開口端縁部分３ｆ２３ａと第２軸受部の第２軸受貫通孔３ｆ３３の開口端縁部分３ｆ３３ａとの間に挟まれにくいという更なる効果を有する。
【００２５】
［球軸の局所的摩耗抑制効果］
図５（ａ）は、第２軸受部３ｆ３０を取り外し、第１収容部分３ｆ１１内に球軸３ｆ２０が収容されている状態を示す平面図である。図５（ａ）に示すように、溝３ｆ２１ａ内に突起３ｆ１３ａ１が位置し、溝３ｆ２１ｂ内に突起３ｆ１３ｃ１が位置している。従って、球軸３ｆ２０の軸部３ｆ２２の軸Ｘを中心とした回転方向の移動（図５（ａ）においては矢印Ｒで示している。）が規制される。これにより、球軸３ｆ２０の局所的な摩耗を抑制することができる。
【００２６】
なお、本実施形態においては、照明部４は円盤状の形状をしており、円盤の中央部において連結部３ｆにより第２アーム部材３ｂに連結されているため、照明部４を軸部３ｆ２２の軸Ｘまわりに回転させても、照射角度や照射範囲に変化は生じない。従って、上記のように、球軸３ｆ２０の軸Ｘを中心とした回転方向の移動が規制されても、ユーザには不利益は生じない。
【００２７】
図５（ｂ）は、球軸３ｆ２０の可動態様を説明するための模式図である。上記のように、球軸３ｆ２０の軸Ｘを中心とした回転方向の移動は規制されてもユーザには不利益は生じないが、ボールジョイントとしての機能を果たすためには、その他の方向への移動は許容する必要がある。球状部３ｆ２１には軸Ｘと平行な方向（図５（ｂ）においては、Ｚ軸方向）に沿って溝３ｆ２１ｂ，３ｆ２１ｂが形成されている。（図５（ｂ）においては、溝３ｆ２１ａは、球状部３ｆ２１の陰に隠れて見えない。）従って、仮想平面Ｂ内における矢印Ｃ方向に球軸３ｆ２０が移動した場合、突起３ｆ１３ａ１および３ｆ１３ｃ１は、それぞれ溝３ｆ２１ａおよび３ｆ２１ｂ内を移動することができるため、球軸３ｆ２０の矢印Ｃ方向の移動は妨げられない。言い換えれば、球軸３ｆ２０の溝３ｆ２１ａ，３ｆ２１ｂに沿った方向の搖動（仮想平面Ｂ内における搖動）は、妨げられない。
【００２８】
次に、軸Ｘを含む仮想平面Ｂ以外の平面内における搖動について、例えば、仮想平面Ｂと直交する仮想平面Ｄ内における矢印Ｅ方向の搖動について考える。この場合、突起３ｆ１３ａ１および３ｆ１３ｃ１が溝３ｆ２１ａおよび３ｆ２１ｂの内壁にそれぞれ当接して、移動を規制してしまう。そこで、本実施形態においては、図５（ａ）に示すように、溝３ｆ２１ａおよび３ｆ２１ｂは平面視においてＶ字状に形成されており、突起３ｆ１３ａ１および３ｆ１３ｃ１との間に空間が存在する。（所謂「遊び」がある状態となっている。）これにより、球軸３ｆ２０の矢印Ｅ方向の移動が、ある程度許容されるため、ユーザによる照明部４の角度調節が可能となる。
【００２９】
また、上記説明したように、軸Ｘを含む仮想平面Ｂ以外の平面内における搖動がある程度許容される、言い換えれば、ある程度規制されることにより、次のような更なる効果がある。即ち、球軸３ｆ２０が搖動する際に、配線６３が球軸貫通孔３ｆ２３の開口端縁部分３ｆ２３ａと第２軸受部の第２軸受貫通孔３ｆ３３の開口端縁部分３ｆ３３ａとの間に挟まれにくくなるという更なる効果がある。
【００３０】
なお、本実施形態においては、図５（ｂ）に示すように、仮想平面ＢがＸＺ平面と平行となる状態で球軸３ｆ２０が収容部３ｆ４１内に収容されるようにするとよい。照明部４のＹＺ平面内における移動は、第２アーム部材３ｂにより規制されてあまり大きく移動させることができないが、第１アーム部材３ａおよび第２アーム部材３ｂの角度を変えることにより、照明部４のＹＺ平面内における角度調節を行うことができる。しかし、照明部４のＸＺ平面内における角度調節は、第１アーム部材３ａおよび第２アーム部材３ｂによっては行うことができないため、専ら連結部３ｆにより角度調節を行う必要がある。従って、上記のように仮想平面ＢがＸＺ平面と平行となる状態で球軸３ｆ２０が収容部３ｆ４１内に収容されている場合、球軸３ｆ２０はＸＺ平面内における可動範囲の方が、ＹＺ平面内における可動範囲よりも大きくなる。これにより、照明部４のＸＺ平面内における可動範囲を大きく確保することができ、ユーザの利便性に資することができる。
【００３１】
＜変形例＞
以上、本発明の構成を実施形態に基づいて説明したが、本発明は上記実施形態に限られず、以下のような変形例を実施することができる。なお、説明の重複を避けるため、上記実施形態と同じ構成要素については、同符号を付してその説明を省略する。
（変形例１）
上記実施形態においては、球軸の球状部に形成された溝および第１軸受部の柱状部材に形成された突起はそれぞれ２つずつであったが、これに限られない。溝および突起が１つずつでもよいし、３つ以上ずつ設けられていてもよい。例えば、図６に示すように、溝および突起が４つずつ形成されていてもよい。
【００３２】
図６（ａ）は、変形例１に係る第１軸受部１０３ｆ１０および球軸１０３ｆ２０を示す平面図である。図６（ｂ）は、変形例１に係る球軸１０３ｆ２０の可動態様を説明するための模式図である。図６（ａ）に示すように、第１軸受部１０３ｆ１０は、柱状部材１０３ｆ１３ａ，１０３ｆ１３ｂ，１０３ｆ１３ｃ，１０３ｆ１３ｄに、突起１０３ｆ１３ａ１，１０３ｆ１３ｂ１，１０３ｆ１３ｃ１，１０３ｆ１３ｄ１がそれぞれ形成されている。また、球軸１０３ｆ２０の球状部１０３ｆ２１には、軸Ｘに沿った方向に溝１０３ｆ２１ａ，１０３ｆ２１ｂ，１０３ｆ２１ｃ，１０３ｆ２１ｄが形成されている。そして、溝１０３ｆ２１ａ，１０３ｆ２１ｂ，１０３ｆ２１ｃ，１０３ｆ２１ｄ内に突起１０３ｆ１３ａ１，１０３ｆ１３ｂ１，１０３ｆ１３ｃ１，１０３ｆ１３ｄ１がそれぞれ位置している。変形例１の構成のよっても、軸Ｘまわりの球軸１０３ｆ２０の回転が規制されるため、球軸１０３ｆ２０表面の局所的な摩耗を抑制することができる。
【００３３】
また、変形例１の場合、図６（ｂ）に示すように、球軸１０３ｆ２０が矢印Ｃ方向に移動する場合には、突起１０３ｆ１３ｂ１および１０３ｆ１３ｄ１が溝１０３ｆ２１ｂおよび１０３ｆ２１ｄの内面に当接して矢印Ｃ方向の移動が規制される。また、球軸１０３ｆ２０が矢印Ｅ方向に移動する場合には、突起１０３ｆ１３ａ１および１０３ｆ１３ｃ１が溝１０３ｆ２１ａおよび１０３ｆ２１ｃの内面に当接して矢印Ｅ方向の移動が規制される。この場合においても、図６（ａ）に示すように、溝１０３ｆ２１ａ，１０３ｆ２１ｂ，１０３ｆ２１ｃ，１０３ｆ２１ｄの断面がＶ字形に形成されていることにより、溝と突起との間に遊びが生じ、球軸の矢印ＣおよびＥ方向の移動がある程度許容される。これにより、ユーザは照明部４の角度を変更することができる。
【００３４】
（変形例２）
上記実施形態および変形例１においては、球状部表面に形成された溝は、軸部の軸Ｘに沿った（平行な）方向に形成されていたが、これに限られない。例えば、軸部の軸Ｘに対して交差する方向、即ち傾いた方向に溝が形成されていてもよい。言い換えれば、溝の方向が、軸部の軸Ｘと直交する平面と平行な方向でなければよい。本変形例の場合においても、球軸の軸Ｘを中心とした回転方向の移動が規制されるため、球軸表面の局所的な摩耗を抑制することができる。なお、軸Ｘに対する溝の傾きが大きいほど、軸Ｘを中心とした球軸の回転が許容される程度も大きくなる。
【００３５】
また、軸Ｘに対する溝の傾き加減にもよるが、球軸を搖動させる際の角度の遊びが若干大きくなり、照明部４の角度調整の自由度が増すという利点がある。
（変形例３）
上記実施形態および各変形例においては、軸部は円筒状であったが、これに限られない。例えば、多角筒や断面の外周縁がハート形や星形等の不定形でもよい。
【００３６】
さらには、配線６３を通す配線路が軸部以外の箇所に設けられる場合、軸部が中実の柱状であってもよい。この場合も、軸部は円柱に限られず、多角柱や断面形状がハート形や星形等の不定形でもよい。
（変形例４）
上記実施形態および変形例１においては、突起は柱状部材の軸方向の略全長に亘って形成されていたが、これに限られない。例えば、突起が柱状部材の軸方向における一部にのみ形成されていてもよい。さらには、柱状部材の軸方向に連続的に形成される場合に限られず、軸方向に沿って断続的に形成されていてもよい。上記２つの場合においては、球軸の可動範囲内において、少なくとも突起の一部が溝内に位置していればよい。
【００３７】
（変形例５）
上記実施形態および各変形例においては、第１軸受部に突起が設けられていたが、これに限られない。例えば、第２軸受部に突起が設けられてもよい。
（変形例６）
上記実施形態および各変形例においては、球軸に溝が形成され、軸受（第１軸受部，第２軸受部）に突起が設けられていたが、これに限られない。例えば、球軸に突起が設けられ、軸受に溝が設けられてもよい。
【００３８】
（変形例７）
上記実施形態においては、照明部４は光源としてＬＥＤ６１を備えていたが、これに限られない。光源としてＬＥＤに代えて、蛍光灯、白熱電球、有機ＥＬ（Ｅｌｅｃｔｒｏ−Ｌｕｍｉｎｅｓｃｅｎｃｅ）素子、ＬＤ（レーザダイオード；Ｌａｓｅｒ  Ｄｉｏｄｅ）等を用いてもよいし、これらを複数組み合わせて用いてもよい。
【００３９】
（変形例８）
上記実施形態においては、照明部４の外観形状は、平面視円形の円盤状であったが、これに限られない。例えば、照明部４の外観形状が、平面視において長方形や正方形であってもよいし、その他の多角形、楕円、超楕円、ハート形等の不定形であってもよい。
（変形例９）
上記実施形態においては、アーム部３は、主に第１アーム部材３ａおよび第２アーム部材３ｂの２つのパーツから構成されていたが、これに限られない。例えば、アーム部３を構成する主なパーツが長尺な１つの部材であってもよいし、３つ以上のパーツから構成されていてもよい。
【００４０】
なお、上記実施形態に係る照明装置の部分的な構成、および上記各変形例に係る構成を、適宜組み合わせてなる照明装置であっても良い。また、上記実施形態および各変形例における説明に記載した材料、数値等は好ましいものを例示しているだけであり、それに限定されることはない。また、各図面における各部材の寸法および比は、一例として挙げたものであり、必ずしも実在の照明装置の寸法および比と一致するとは限らない。さらに、本発明の技術的思想の範囲を逸脱しない範囲で、照明装置の構成に適宜変更を加えることは可能である。
【符号の説明】
【００４１】
１  照明装置
３  アーム部
３ａ  第１アーム部材
３ｂ  第２アーム部材
３ｄ，３ｅ  連結部
３ｆ，１０３ｆ  連結部（ボールジョイント）
３ｆ１０，１０３ｆ１０  第１軸受部
３ｆ１１  第１収容部分
３ｆ１２  第１軸受貫通孔
３ｆ１３ａ１，３ｆ１３ｃ１，１０３ｆ１３ａ１，１０３ｆ１３ｂ１，１０３ｆ１３ｃ１，１０３ｆ１３ｄ１  突起
３ｆ２０，１０３ｆ２０  球軸
３ｆ２１，１０３ｆ２１  球状部
３ｆ２１ａ，３ｆ２１ｂ，１０３ｆ２１ａ，１０３ｆ２１ｂ，１０３ｆ２１ｃ，１０３ｆ２１ｄ  溝
３ｆ２２，１０３ｆ２２  軸部
３ｆ２３，１０３ｆ２３  球軸貫通孔
３ｆ３０  第２軸受部
３ｆ３２  第２収容部分
３ｆ３３  第２軸受貫通孔
３ｆ４０  軸受
３ｆ４１  収容部
３ｆ２３ａ  開口端縁部分（反対側の開口）
４  照明部
【図１】
2014086402.tif 000003
【図２】
2014086402.tif 000004
【図３】
2014086402.tif 000005
【図４】
2014086402.tif 000006
【図５】
2014086402.tif 000007
【図６】
2014086402.tif 000008